(57)【要約】      （修正有）【課題】シャッターチャンスが訪れると、撮像装置を迅速に動作させて最適なモードに設定して撮影を行う。【解決手段】ステップＳ１３で、レリーズボタンが半押しされた場合は、ステップＳ１５で自動露出演算を行い、ステップＳ１６でコンティニュアスＡＦによる焦点調節を行う。そして、ステップＳ１７でレリーズボタンが全押しされた場合は、ステップＳ１９で、フラグＦが判別され、フラグＦが１の場合は、ステップＳ２０で、連写モードＡに設定されて、レリーズボタンが押されている間、３０コマ／秒、連続して撮影が行われる。加速度センサから閾値以上の加速度が加わった場合には、ステップＳ１２で、フラグＦが１に設定されているので、ステップＳ１６でコンティニュアスＡＦになり、レリーズボタンを全押しすることによりステップＳ２０で、３０コマ／秒の連写による撮影が行われる。【選択図】図５
2015023356.tif 000002
【特許請求の範囲】
【請求項１】
撮像装置本体の加速度を検出する加速度検出手段と、
前記加速度検出手段により所定値以上の加速度が検出された場合に、前記撮像装置本体の電源を起動する起動手段と、
前記起動手段による起動後に、連写モードに設定する連写モード設定手段と、
前記連写モード設定手段で設定された連写モードに基づいて撮影を行う撮影手段とを備えたことを特徴とする撮像装置。
【請求項２】
請求項１に記載の撮像装置において、
撮影者の生体情報を検出する生体情報検出手段と、
前記生体情報検出手段により検出された生体情報に基づいて撮影者の興奮度を判別する興奮度判別手段とを備え、
前記連写モード設定手段は、前記興奮度判別手段で判別された興奮度に応じた連写モードを設定し、
前記撮影手段は、前記連写モード設定手段で設定された連写モードに基づいて撮影を行うことを特徴とする撮像装置。
【請求項３】
請求項２に記載の撮像装置において、
被写体に継続的に焦点を合わせ続けるコンティニュアス自動焦点調節モードとレリーズボタンを半押しの状態で焦点を合わせるシングル自動焦点調節モードとを選択的に設定する自動焦点調節モード設定手段を備え、
前記自動焦点調節モード設定手段は、前記興奮度判別手段で判別された興奮度に応じた自動焦点調節モードを設定することを特徴とする撮像装置。
【請求項４】
請求項２または３のいずれか一項に記載の撮像装置において、
前記撮影手段で撮影された画像を特定の送信先へ送信する送信手段を備え、
前記送信手段は、前記興奮度判別手段で判別された興奮度に応じて、撮影した画像を特定の送信先へ送信することを特徴とする撮像装置。
【請求項５】
請求項２〜４のいずれか一項に記載の撮像装置において、
前記撮影手段で撮影された画像を特定のフォルダへ保存する保存手段を備え、
前記保存手段は、前記興奮度判別手段で判別された興奮度に応じて、撮影した画像を特定のフォルダへ保存することを特徴とする撮像装置。
【請求項６】
請求項５に記載の撮像装置において、
前記保存手段に保存されている画像は削除プロテクトが施されていることを特徴とする撮像装置。
【請求項７】
請求項５に記載の撮像装置において、
前記保存手段に保存されている画像は再生プロテクトが施されていることを特徴とする撮像装置。
【発明の詳細な説明】
【技術分野】
【０００１】
本発明は、撮像装置に関する。
【背景技術】
【０００２】
撮像装置として、ユーザの生体情報を検出して、検出した生体情報に基づいてユーザの感情状態を判定し、感情状態が所定の状態に至った場合に、撮影を行わせるものが知られている（例えば、特許文献１参照）。
【先行技術文献】
【特許文献】
【０００３】
【特許文献１】特開２００６−２２７２３６号公報
【発明の概要】
【発明が解決しようとする課題】
【０００４】
従来は、シャッターチャンスが訪れても、撮像装置を迅速に動作させて最適なモードに設定して撮影を行うことができなかった。
【課題を解決するための手段】
【０００５】
本発明の撮像装置によれば、撮像装置本体の加速度を検出する加速度検出手段と、加速度検出手段により所定値以上の加速度が検出された場合に、撮像装置本体の電源を起動する起動手段と、起動手段による起動後に、連写モードに設定する連写モード設定手段と、連写モード設定手段で設定された連写モードに基づいて撮影を行う撮影手段とを備えたことを特徴とする。
【発明の効果】
【０００６】
本発明によれば、シャッターチャンスが訪れた場合に、撮像装置を迅速に連写モードに設定して撮影を行うことが可能となる。
【図面の簡単な説明】
【０００７】
【図１】本発明の一実施形態における全体システム構成図を示す図である。
【図２】脈拍計の機能構成を示すブロック図である。
【図３】撮像装置の機能構成を示すブロック図である。
【図４】脈拍計の処理動作を示すフローチャートである。
【図５】撮像装置の処理動作を示すフローチャートである。
【発明を実施するための形態】
【０００８】
図面を参照して本発明の実施の形態を説明する。
図１は本発明の実施の形態における全体システム構成図を示す図である。図１の全体システム構成図において、脈拍計１０は、撮像装置２０の撮影者の腕に巻かれ、撮影者の脈拍データを生体情報として検出する。検出された脈拍データに基づいて判別された脈拍情報は無線通信により撮像装置２０へ送信される。
【０００９】
撮像装置２０は、送信された脈拍データに応じて、撮影者の興奮度を判別し、興奮度に応じた連写モード等を設定する。また、撮像装置２０は、撮影された画像を興奮度に応じてインターネット網３０を介してサーバ４０へ送信する。
【００１０】
図２は、脈拍計１０の機能構成を示すブロック図である。図２に示すように、腕時計型の脈拍計１０は、ＣＰＵ１１、脈拍センサ１２、メモリ１３、第１通信部１４より構成されると共に、これらを動作させるための電源（図示省略）が着脱可能に組み込まれている。
【００１１】
脈拍センサ１２は、例えば赤外線センサであり、脈拍の度に毛細血管内の赤血球が密になったり疎になったりする状態を、赤外線の反射率で検出して、脈拍データを取得する。ＣＰＵ１１は、脈拍データを解析し、脈拍が正常値か、早いか、非常に早いかを判別する。そして、第１通信部１４より無線通信により撮像装置２０へ脈拍情報を送信する。メモリ１３には、後述するフローチャートで示す処理動作を行うプログラムが記憶され、また、計測した脈拍データが一時的に記憶される。
【００１２】
図３は、撮像装置２０の機能構成を示すブロック図である。撮像装置２０は、撮像光学系２１と、撮像素子２２と、レンズ駆動回路２３と、制御部２４と、バッファメモリ２５と、操作部２６と、表示部２７と、着脱可能な記録媒体２８と、加速度センサ２９と、第２通信部３１と、第３通信部３２とを備えている。
【００１３】
撮像光学系２１は、ズームレンズやフォーカシングレンズを含む複数のレンズ群で構成され、被写体像を撮像素子２２の受光面に結像させる。なお、図３を簡単にするため、撮像光学系２１を単レンズとして図示している。
【００１４】
レンズ駆動回路２３は、制御部２４の制御のもと、撮像光学系２１のズームレンズを駆動して焦点距離を調節するとともに、撮像光学系２１のフォーカシングレンズを駆動して焦点調節を行う。焦点調節として、動きのある被写体に対して、連続的・継続的に焦点を合わせ続けるコンティニュアスＡＦ（自動焦点調節）モードと、レリーズボタンを半押しの状態で焦点が合い、フォーカスロックがかかるシングルＡＦ（自動焦点調節）とを備えている。
【００１５】
撮像素子２２は、例えばＣＣＤイメージセンサやＣＭＯＳイメージセンサなどで構成され、撮像光学系２１により結像した被写体像を撮像して、得られた画像信号を制御部２４へ出力する。
【００１６】
制御部２４は、ＣＰＵおよびその他の周辺回路等により構成され、撮像装置２０全体の制御を行う。制御部２４は、撮像素子２２から取得した画像信号から画像データを生成する。バッファメモリ２５は、撮像素子２２からの画像信号を基に取得される画像データを一時記憶するために使用される。
【００１７】
操作部２６は、撮影者によって操作される種々の入力部材、例えば、電源スイッチ、レリーズボタン、連写モード切替ボタン、ＡＦモード切替ボタン、などにより構成される。操作部２６は、各ボタンが押下操作されると、各操作に応じた操作信号を制御部２４へ出力する。連写モード切替ボタンは、レリーズボタンを押している間、３０コマ／秒、連続して撮影する連写モードＡ、１５コマ／秒、連続して撮影する連写モードＢ、レリーズボタンを押した時、１コマ撮影する単写モードを切り替え設定する。ＡＦモード切替ボタンは、コンティニュアスＡＦとシングルＡＦとを切替え設定する。なお、本実施の形態では、後述するように連写モードやＡＦモードは自動的にも設定される。
【００１８】
表示部２７は、撮像装置２０の背面に搭載された液晶モニタ（背面モニタ）等で構成され、撮像素子２２で撮像された画像や各種設定メニューなどが表示される。
加速度センサ２９は、撮像装置２０本体が撮影者によって動かされた場合の加速度の大きさを計測する。
第２通信部３１は、脈拍計１０との間で無線通信を行うもので、脈拍計１０からの脈拍情報を受信すると共に、脈拍計１０へ脈拍の検出開始信号や検出終了信号を送信する。第３通信部３２は、インターネット網３０を介して撮影画像をサーバ４０へ送信する。
【００１９】
制御部２４は、レリーズボタンが半押し操作されると、設定されているＡＦモードで焦点調節され、撮像素子２２から時系列で取得した画像信号からフレーム画像データを生成して表示部２７に出力する。これによって表示部２７にはスルー画が表示される。また制御部２４は、レリーズボタンが全押し操作されると、設定されている連写モードで、撮像素子２２から取得した画像信号に対して所定の画像処理を行って静止画像データを生成し、ＪＰＥＧなどの所定の方式により圧縮処理を施して、記録媒体２８に記録する。
【００２０】
以下、フローチャートを参照して本実施の形態における動作を説明する。図４は、脈拍計１０の処理動作を示すフローチャートである。撮像装置２０の撮影者が脈拍計１０の図示省略した電源スイッチを操作して電源を投入すると、ＣＰＵ１１によって図４のフローチャートで示すプログラムが実行される。以下の説明で特に明示しない場合は、各ステップの実行主体はＣＰＵ１１である。
【００２１】
ＣＰＵ１１は、ステップＳ１で脈拍センサ１２より脈拍データを周期的に取得する。取得された脈拍データはメモリ１３に記録される。撮影者が脈拍計１０を手首に装着して撮像装置２０の操作を開始する準備を行うと、ステップＳ１で脈拍データが取得され、ステップＳ２で脈拍データが取得されたことが検出される。脈拍計１０を手首に装着する前は、ステップＳ２で脈拍データの取得が検出されず、ステップＳ１に戻り、脈拍データの取得を行う。
【００２２】
その後、ステップＳ３で、撮像装置２０から送信される検出開始信号を受信するまで待機し、検出開始信号を受信した場合は次のステップＳ４の処理へ進む。
【００２３】
ステップＳ４では、脈拍センサ１２より脈拍データを周期的に取得する。取得された脈拍データはメモリ１３に記録される。ステップＳ５で、取得された脈拍データの脈拍が当該撮影者の通常の脈拍データと比較して、「正常値」、「早い」、「非常に早い」、の３段階の何れであるかを判別する。撮影者の正常の脈拍データは予め計測してメモリ１３に正常値として記録されているものとする。
【００２４】
ステップＳ５では、予め計測してメモリ１３に記録されている正常値とステップＳ４で取得した脈拍データとを比較する。取得した脈拍データが非常に早い場合はステップＳ６で「非常に早い」を示す脈拍情報を撮像装置２０に送信する。取得した脈拍データが早い場合はステップＳ７で「早い」を示す脈拍情報を撮像装置２０に送信する。取得した脈拍データが正常値の場合はステップＳ８で「正常値」を示す脈拍情報を撮像装置２０に送信する。
【００２５】
その後、ステップＳ９で、撮像装置２０から送信される検出終了信号を受信したかを判別し、受信していない場合はステップＳ４の処理へ戻り、受信した場合は処理を終了する。
【００２６】
図５は、撮像装置２０の処理動作を示すフローチャートである。図５の処理は制御部２４によってプログラムを実行して行われる。以下の説明で特に明示しない場合は、各ステップの実行主体は制御部２４である。撮像装置２０の電源スイッチがオフの状態でも、撮像装置２０の制御部２４はステップＳ１０で、加速度センサ２９から閾値以上の加速度が加わったかを判定する処理を行っている。この処理のために必要な最低限の電源は制御部２４や加速度センサ２９などに供給されている。
【００２７】
シャッターチャンスが突然訪れた場合、撮影者は撮像装置２０を急いで取り出したり、被写体の方向へ撮像装置２０を急激に向けたりすることにより撮像装置２０に加速度が加わる。本実施の形態では撮像装置２０の電源スイッチを操作して電源を投入することなく、ステップＳ１０で撮像装置２０に閾値以上の加速度が加わったかを判定し、閾値以上の加速度が加わった場合は、ステップＳ１１で、撮像装置２０の電源を自動的にオン状態にする。
【００２８】
次のステップＳ１２で、連写モードやＡＦモードを自動的に設定するためのフラグＦを１に設定する。フラグＦは制御部２４内のメモリに記憶される。フラグＦが１の場合は、後述のように、ＡＦモードがコンティニュアスＡＦに、連写モードが３０コマ／秒の連写モードＡに自動的に設定されて、シャッターチャンスを逃すことなく撮影が可能になる。
【００２９】
ステップＳ１３では、レリーズボタンが半押しかを判断し、半押しでなければステップＳ１４で、ステップＳ１１の電源オンから一定時間が経過したかを判断する。一定時間が経過していなければステップＳ１３に戻る。ステップＳ１４で、一定時間が経過したと判断された場合は、後述の撮影者の興奮状態に応じたモード設定に移る。一定時間が経過した場合は、撮像装置２０に加速度が加わった後に、一定時間内に撮影することなく放置した場合であり、シャッターチャンスが突然訪れたと思われて準備したが、結局撮影しなかった場合が該当する。
【００３０】
ステップＳ１３で、レリーズボタンが半押しされた場合は、ステップＳ１５で自動露出演算を行い、ステップＳ１６でコンティニュアスＡＦによる焦点調節を行う。コンティニュアスＡＦは、動きのある被写体に対して、連続的・継続的に焦点を合わせ続ける。そして、次のステップＳ１７でレリーズボタンの全押しが検出された場合は、ステップＳ１８で、脈拍計１０に対して脈拍の検出開始を指示する検出開始信号を送信する。前述のように脈拍計１０はこの検出開始信号を受信した後に、脈拍センサ１２より脈拍データを周期的に取得する。ステップＳ１７でレリーズボタンの全押しが検出されない場合は、ステップＳ１４に戻る。
【００３１】
ステップＳ１９では、制御部２４内のメモリに記憶されているフラグＦを判別する。フラグＦが１の場合は、次のステップＳ２０で、連写モードＡに設定され、レリーズボタンが押されている間、３０コマ／秒連続して撮影が行われる。加速度センサ２９から閾値以上の加速度が加わった場合には、ステップＳ１２で、フラグＦが１に設定されているので、ステップＳ１６でコンティニュアスＡＦになり、レリーズボタンを全押しすることによりステップＳ２０で、３０コマ／秒の連写による撮影が行われることになる。この連写はステップＳ２１でレリーズボタンの全押しの解除が検出されるまで行われる。
【００３２】
ステップＳ１９で、フラグＦが２の場合は、ステップＳ２２で、連写モードＢに設定されて、レリーズボタンが押されている間、１５コマ／秒、連続して撮影が行われる。この連写はステップＳ２３でレリーズボタンの全押しの解除が検出されるまで行われる。
【００３３】
ステップＳ１９で、フラグＦが３の場合は、ステップＳ２４で、単写モードに設定されて、レリーズボタンを押した時、１コマの撮影が行われる。
【００３４】
連写モードＡで撮影された画像は、ステップＳ２５で、あらかじめ設定されている登録先へ送信される。具体的には、撮影された画像は、第３通信部３２よりインターネット網３０を介してサーバ４０の登録先のフォルダに送信される。サーバ４０の登録先のフォルダに格納された画像は、例えば共有フォルダであり、アクセスを許可された人は直ちに画像の閲覧等を行うことができ、ニュース性の高い画像を迅速に公開できる。
【００３５】
ステップＳ２６では、連写モードＡおよび連写モードＢで撮影された画像が記録媒体２８の修整用フォルダへ記憶される。記憶される画像には削除プロテクトおよび再生プロテクトを施して記憶する。修整用フォルダへ記憶するのは、連写により撮影された画像は後に修整する可能性があり、修整対象の画像を探す手間が省けるようにするためである。記憶される画像に削除プロテクトおよび再生プロテクトを施すのは、重要な画像である可能性が高いので簡単に削除や再生ができないようにするためである。なお、単写モードで撮影された画像は記録媒体２８の通常のフォルダへ記憶される。
【００３６】
撮像装置２０は電源スイッチを備えており、この電源スイッチをオン操作することによっても起動することができる。電源スイッチをオンにすると、ステップＳ２７で電源が投入されて撮像装置２０が起動する。次のステップＳ２８で、脈拍計１０に対して脈拍の検出開始を指示する検出開始信号を送信する。前述のように脈拍計１０はこの検出開始信号を受信して脈拍センサ１２より脈拍データを周期的に取得する。
【００３７】
次のステップＳ２９で、脈拍計１０より受信した脈拍情報が「非常に早い」、「早い」、「正常値」の何れであるかを判別する。すなわち、ステップＳ２９は、生体情報に基づいて撮影者の興奮度を判別する興奮度判別手段として機能する。そして、後述するように、興奮度に応じた連写モードが設定される。
【００３８】
ステップＳ２９で、脈拍情報が「非常に早い」と判別された場合は、ステップＳ３０でフラグＦを１に設定し、脈拍情報が「早い」と判別された場合は、ステップＳ３１でフラグＦを２に設定し、脈拍情報が「正常値」と判別された場合は、ステップＳ３２でフラグＦを３に設定する。
【００３９】
ステップＳ３３で、レリーズボタンが半押しされた場合は、ステップＳ３５で自動露出演算を行い、ステップＳ３６で制御部２４内のメモリに記憶されているフラグＦを判別する。フラグＦが１または２の場合は、次のステップＳ３７で、コンティニュアスＡＦによる焦点調節を行う。フラグＦが３の場合は、次のステップＳ３８で、シングルＡＦによる焦点調節を行う。シングルＡＦでは、レリーズボタンを半押しの状態で焦点が合い、フォーカスロックがかかる。すなわち、撮影者の脈拍が「非常に早い」もしくは「早い」場合は、撮影者が興奮状態にあり、焦点調節の操作が間に合わない虞があるのでコンティニュアスＡＦによる焦点調節が行なわれる。
【００４０】
その後、ステップＳ３９で、レリーズボタンが全押しされた場合は、前述したステップＳ１９で、フラグＦを判別する。そして、前述のように、フラグＦが１の場合は、連写モードＡに設定されて、フラグＦが２の場合は、連写モードＢに設定されて、フラグＦが３の場合は、単写モードに設定される。すなわち、撮影者の興奮度に応じた連写モードが設定されて、撮影者が興奮状態にあっても、連写による撮影が行われるので、シャッターチャンスを逃すことが無い。
【００４１】
ステップＳ３３で、レリーズボタンが半押しされていない場合や、ステップＳ３９で、レリーズボタンが全押しされていない場合や、ステップＳ２６の処理後は、ステップＳ３４に進み、電源スイッチがオフされたか判断し、電源スイッチがオフされていなければ前述のステップＳ２９で、脈拍情報の判別を行う。
【００４２】
ステップＳ３４で、電源スイッチがオフされたと判断された場合は、ステップＳ４０で、脈拍計１０に検出終了信号を送信する。脈拍計１０は、この検出終了信号を受信した場合には脈拍データの取得を終了する。そして、ステップＳ４１で撮像装置２０を待機状態、すなわち、必要な最低限の電源を制御部２４や加速度センサ２９などに供給した待機状態にする。
【００４３】
本発明の実施の形態によれば、撮像装置２０に閾値以上の加速度が加わった場合は、撮像装置２０の電源をオン状態にし、連写モードやＡＦモードを自動的に設定するので、シャッターチャンスを逃すことなく迅速な撮影が可能になる。
【００４４】
更に、本発明の実施の形態によれば、撮影者の脈拍データを生体情報として検出し、撮影者の興奮度を判別して、ＡＦモードや連写モードを自動的に設定し、撮影者が興奮状態にあっても、連写による撮影が行われるので、シャッターチャンスを逃すことが無い。
【００４５】
（変形例）
本発明は、以上説明した実施の形態を次のように変形して実施することができる。
（１）撮像装置２０に閾値以上の加速度が加わった場合は、撮像装置２０の電源を自動的にオン状態にし、ＡＦモードをコンティニュアスＡＦに、連写モードを３０コマ／秒の連写モードＡに自動的に設定するようにしたが、撮像装置２０に加わる加速度の閾値を複数の段階的に検出し、加わった加速度の閾値が大きく検出されるのに応じて連写モードの撮影コマ／秒を多く設定するようにしても良い。例えば、閾値を２段階とした場合は、低い閾値が検出された場合は、連写モードを１５コマ／秒の連写モードＢに自動的に設定し、高い閾値が検出された場合は、連写モードを３０コマ／秒の連写モードＡに自動的に設定する。撮像装置２０を急いで取り出した場合に、加わった加速度に応じた連写モードが設定され、シャッターチャンスを逃すことなく迅速な撮影が可能になる。
【００４６】
（２）脈拍データは、「正常値」、「早い」、「非常に早い」、の３段階で判別したが、１段階や２段階でも良く、また４段階以上でも良い。興奮度に応じた連写モードの設定の自動設定が可能になる。
【００４７】
（３）脈拍計１０より脈拍が「正常値」、「早い」、「非常に早い」ことを示す脈拍情報を撮像装置２０へ送信して、撮影者の興奮度を判別するようにしたが、脈拍計１０より脈拍の値を撮像装置２０に逐次送信し、撮像装置２０側で脈拍が「正常値」、「早い」、「非常に早い」を判別しても良い。
【００４８】
（４）脈拍計１０を撮像装置２０とは別体に設けたが、脈拍計１０を撮像装置２０に一体的に設ける構成にしても良い。この場合、脈拍計１０を撮像装置２０のストラップに設けたり、撮影者が撮像装置２０を手で握持した場合に接触する部分に脈拍計１０を組み込むことができる。
【００４９】
（５）生体情報として脈拍データを用いた脈拍計の例で説明したが、血圧計により血圧データを検出しても良く、体温計により体温を検出しても良く、湿度センサにより発汗を計測して撮影者の興奮度を判別しても良い。また、脳波を検出して撮影者の興奮度を判別しても良い。更に、これらの生体情報を複数組み合わせて撮影者の興奮度を判別しても良い。
【００５０】
（６）撮像装置２０に閾値以上の加速度が加わった場合に撮像装置の電源を自動的にオン状態にしてレリーズボタンが全押しされた場合に自動的に複数コマの撮影を行なわせたが、撮像装置の電源オン後、さらに撮像装置のブレが所定値以下に収束している場合は、レリーズボタンの全押しを待たずして自動的に複数コマの撮影を行なわせてもよい。電源オン後の速写性に応えるためである。
【００５１】
以上説明した本発明の撮像装置２０は撮像装置２０本体の加速度を検出し、所定値以上の加速度が検出された場合に、撮像装置２０本体の電源を起動し、撮像装置２０の起動後に、連写モードに設定して設定された連写モードに基づいて撮影を行う。したがって、シャッターチャンスを逃すことなく迅速な撮影が可能になる。
【００５２】
本発明は、上記の実施の形態に限定されるものではなく、本発明の特徴を損なわない限り、本発明の技術思想の範囲内で考えられるその他の形態についても、本発明の範囲内に含まれる。
【符号の説明】
【００５３】
１０  脈拍計
２０  撮像装置
４０  サーバ
２１  撮像光学系
２２  撮像素子
２３  レンズ駆動回路
２４  制御部
２９  加速度センサ
【図１】
2015023356.tif 000003
【図２】
2015023356.tif 000004
【図３】
2015023356.tif 000005
【図４】
2015023356.tif 000006
【図５】
2015023356.tif 000007